(57)【要約】【課題】  撮影時に充分な光量にて背景を投影できるプロジェクタを提供して、このプロジェクタを利用することにより、人物画像、背景画像共に最適な濃度の画像が得られる撮影システムを提供すること。【解決手段】  光源に、電球とストロボとを備えたプロジェクタと、光源に、電球とストロボとを備えた照明手段と、人物を撮影する撮影手段と、前記プロジェクタの電球により背景を投影し、前記照明手段の電球により人物を照射して前記撮影手段の撮影条件の設定を行うための制御と、前記照明手段のストロボにより人物を照射しながら行う前記撮影手段の人物撮影に同期して、前記プロジェクタの作動の制御とを行う制御手段とを有することを特徴とする撮影システムの提供。【選択図】        図１
2005300638.tif 000002
【特許請求の範囲】
【請求項１】
光源に、電球とストロボとを備えたことを特徴とするプロジェクタ。
【請求項２】
光源に、電球とストロボとを備えたプロジェクタと、
光源に、電球とストロボとを備えた照明手段と、
人物を撮影する撮影手段と、
前記プロジェクタの電球により背景を投影し、前記照明手段の電球により人物を照射して前記撮影手段の撮影条件の設定を行うための制御、及び前記照明手段のストロボにより人物を照射しながら行う前記撮影手段の人物撮影に同期して、前記プロジェクタの作動の制御を行う制御手段と
を有することを特徴とする撮影システム。
【発明の詳細な説明】
【技術分野】
【０００１】
本発明は、フィルム画像、液晶画像等を拡大してスクリーンに投影するプロジェクタと、プロジェクタにより投影されたスクリーン上の画像を背景にして撮影を行う撮影システムに関わる。
【背景技術】
【０００２】
スタジオで行われる人物撮影においては、撮影目的に適合させるための衣装、椅子等の小道具の選択と共に、背景となるスクリーンも撮影目的に合うように選択する必要がある。
【０００３】
背景となるスクリーンについては、撮影目的に適合する色調と模様を有する大判の紙、あるいは布が採用されるが、最近では、複数の種類のスクリーンを準備する代わりに、無地で、白色、あるいは淡色のスクリーンに所定の色、模様、画像を投影機（プロジェクタと称す）にて投影して、これらが投影されたスクリーンを背景として撮影が行われることが多い。スクリーンへの投影は、前面から行う場合もあるし、半透明スクリーンに背面から行う場合もある。
【０００４】
このような技術の応用としては、人物の背後のスクリーンに景色の画像、例えば、海岸、山、夕日、都会のビル群、有名観光地等の画像を投影して、あたかも、その人物が背景画像の場所で撮影された様な写真を得ることを目的にした写真自販機の提案もある（例えば特許文献１参照。）。
【０００５】
一般に、人物撮影には、電球（ランプと称す）による光とストロボによる光の両方の光源が使用されるが、撮影時に寄与する光源としては光量の違いからストロボが支配的である。このような条件で、上述したスクリーンを背景として人物を撮影すると、人物に適合する光量のストロボ光がスクリーンにも照射されることから、光量の低いランプによりスクリーンに投影されていた画像は、濃度差（ダイナミックレンジ）の低い画像となってしまう。
【０００６】
即ち、スクリーン上に投影されている画像の濃度差は、光源の強さと、投影される原稿画像の濃度差に比例するが、ストロボの瞬間的短時間発光による光量と、その時間に対応したランプの光量の大きな相違から生ずる現象である。
【特許文献１】特開２００２−３２０１７８号公報（第１−２頁）
【発明の開示】
【発明が解決しようとする課題】
【０００７】
本発明は、上述した様な不都合を解消するためになされたもので、その目的は、撮影時に充分な光量にて背景を投影できるプロジェクタを提供して、このプロジェクタを利用す
ることにより、人物画像、背景画像共に最適な濃度の画像が得られる撮影システムを提供することにある。
【課題を解決するための手段】
【０００８】
上記課題は、以下の装置、及びシステムの実現により達成される。
（１）光源に、電球とストロボとを備えたことを特徴とするプロジェクタ。
（２）光源に、電球とストロボとを備えたプロジェクタと、
光源に、電球とストロボとを備えた照明手段と、
人物を撮影する撮影手段と、
前記プロジェクタの電球により背景を投影し、前記照明手段の電球により人物を照射して前記撮影手段の撮影条件の設定を行うための制御、及び前記照明手段のストロボにより人物を照射しながら行う前記撮影手段の人物撮影に同期して、前記プロジェクタの作動の制御を行う制御手段と
を有することを特徴とする撮影システム。
【発明の効果】
【０００９】
請求項１の発明によれば、短時間露光であるストロボを用いた撮影に対応できるダイナミックレンジの広い明るい投影画像を投影できる光源と、一定時間、所定の明るさの投影画像を得るための光源とが分けられ、プロジェクタの使用目的に適合した光源切り換えを行うことにより、所定のダイナミックレンジの投影画像が得られると共に、光源の発熱が抑制される。
【００１０】
請求項２の発明によれば、撮影前に必要な準備、例えば、人物のポーズ、小道具の位置、露光条件等は、電球を光源としたプロジェクタにより作られる画像を背景にして充分な時間をかけて設定することができ、撮影時には、ストロボ光源により充分な光量で背景画像が投影され、背景の画像も適切な条件で撮影される。
【発明を実施するための最良の形態】
【００１１】
以下、本発明の実施の形態を図を基に説明する。
【００１２】
図１は、本発明のプロジェクタの構造を模式的に示す図である。図で示すプロジェクタは、液晶を用いたプロジェクタであるが、従来から多く使用されているリバーサルフィルムの画像を投影するプロジェクタの場合にも、本発明が関わる光源部については同様に適用でき、色分離のための光学系が不要であることから、液晶方式に比較して光学系がより簡単になるという相違であるので、この場合の説明を省略する。
【００１３】
プロジェクタは、第１の光源であるハロゲンランプＨＬ、第２の光源である背景用ストロボＳＴ１、光源の光を集光する集光レンズＬ１、Ｌ２、ミラーＭ１、Ｍ２、Ｍ３、Ｍ４、Ｍ５、Ｍ６、液晶パネルＢ、Ｇ、Ｒ、プリズムＰ、投影レンズＬ３等から構成されている。
【００１４】
ハロゲンランプＨＬは、可視光を反射して画像の投影に関係しない長波長を透過する反射面（コールドミラー）を有する公知の電気部品である。
【００１５】
集光レンズＬ１は、液晶パネルＢ、Ｇ、Ｒの各面が効率よく均一に照射されるように、ハロゲンランプＨＬから各方向に出た光を集光する。
【００１６】
ミラーＭ１〜Ｍ６は、蒸着によりガラス表面に金属薄膜を形成したもので、薄膜の厚さと層構成により、透過する光と、反射する光を波長別に分離するミラーでダイクロイックミラーと称されるもので、公知の光学部品である。本実施の形態においては、Ｍ１は可視全域の波長の光を反射し、Ｍ２は青の波長域の光を透過して、赤と緑の波長域の光を反射する、Ｍ３は可視全域の波長の光を反射する、Ｍ４は赤の波長域の光を透過して、緑の波長域の光を反射する、Ｍ５、Ｍ６は可視域全域を反射するミラーで構成されている。
【００１７】
液晶パネルはＢ、Ｇ、Ｒは、コンピュータから送られ、青、緑、赤の３色に分離された画像情報をモノクロで表示する透過タイプの液晶面からなるパネルである。例えば、液晶パネルＢは、原画像を構成する青の画像のみをパネル面にモノクロで表示して、表示された画像が青色の光で照射されることにより、青画像がスクリーン上に表示される。
【００１８】
プリズムＰは３方向から来る青、緑、赤の光を、１方向にまとめるための公知の光学部品である。
【００１９】
投影レンズＬ３は、液晶パネルＢ、Ｇ、Ｒの画像をスクリーン上に投影する光学部品である。
【００２０】
背景用ストロボＳＴ１は、撮影手段のシャッターに同期して発光するように制御されており、ストロボ光の発光以前に、予め図の点線の位置に移動したミラーＭ１によって、ハロゲンランプＨＬの場合と同様な光路を通り、スクリーン上に画像を投影する。画像の投影時間は、ストロボの発光時間であり、極めて短時間であるが、この時間に同期して撮影手段のシャッターが切られ、撮影が行われる。ストロボ光源を採用することにより、背景は充分なダイナミックレンジを持った背景が投影され、同様のダイナミックレンジの背景をハロゲンランプにて実現する場合に比較して、遙かに少ない電力ですむことから、光源の節電と発熱低減が実現される。
【００２１】
図２は、撮影システムの概念図である。
【００２２】
背景画像は、プロジェクタ１により人物の背後に置かれたスクリーンＳＣに投影されている。通常プロジェクタは、投影に際し人物の影響を受けない位置、例えば、人物の上部、横などに設置される。
【００２３】
撮影のための照明手段としては、主の撮影用ストロボＳＴ２以外に、複数のランプ（不図示）とストロボ（不図示）が備えられている。撮影前の準備、例えば撮影条件の設定等に用いられる照明手段としては、ストロボ以外のランプが使用される。
【００２４】
図３は、本発明による撮影システムの制御関係を示すブロック図である。なお、本図では、本発明に直接関係しないブロックの記載が省略されている。
【００２５】
撮影手段２はデジタルカメラである。カメラのシャッターが押されると、撮影開始信号が制御手段５送られる。制御手段５は前記撮影開始信号を基に、先ず、撮影準備信号をプロジェクタ制御手段１０に送り、次に、プロジェクタ制御手段１０からの準備完了信号を受け取った後に、撮影用ストロボ制御手段３１には撮影用ストロボＳＴ２の発光を指示する信号を、プロジェクタ制御手段１０には背景用ストロボＳＴ１の発光を指示する信号を出して、同時に２種類のストロボを発光させる。なお、デジタルカメラのシャッターはストロボの発光に合わせてシャッターが切られるように予め設定されている。
【００２６】
撮影により得られた画像情報は制御手段５に転送される。
【００２７】
プロジェクタ１は、シャッターが切られる撮影時以外には、光源用のランプであるハロゲンランプＨＬにて背景となる画像をスクリーン上に投影している。プロジェクタ制御手段１０は、プロジェクタ１の動作制御と、投影画像に関わるデータ処理を行っており、制御手段５から撮影開始信号を受けると、ミラーＭ１移動手段１３を制御することにより、ミラーＭ１を図１の点線にて示す位置に移動させる。移動が完了すると、ミラーＭ１移動手段１３は、移動完了信号をプロジェクタ制御手段１０を介して、制御手段５に送り、背景用ストロボＳＴ１の発光を指示する信号を待つ。
【００２８】
照明手段３は、撮影用ストロボＳＴ２、撮影用ストロボ制御手段３１、照明ランプＬＰ、調光制御等を行う照明ランプ制御手段３２からなる。
【００２９】
操作表示手段４は、ＣＲＴ、ＬＣＤ等のディスプレイと、キーボード、リモートコントロールスイッチ等からなり、制御手段５への各種条件の設定、撮影画像の確認、撮影に関わる操作指示のための手段である。
【００３０】
制御手段５は、ＣＰＵ、メモリ、入出力インターフェイス等を有するコンピュータシステムであり、撮影手段２、撮影用ストロボ、プロジェクタ１の動作を制御する。なお、制御のためのプログラム、および撮影時に参照されるテーブル、例えばシャッター速度、発光光量、各手段の動作タイミング等の条件を設定したテーブルは、予めメモリ内に記憶させてある。
【００３１】
図４は、本発明による撮影システムの動作の流れを示すフローチャートである。
【００３２】
撮影者が撮影手段２のシャッタを押すと撮影開始信号が撮影手段２から、制御手段５に送られる（ステップＳ１）。前記撮影開始信号を受けた制御手段５は、プロジェクタ制御手段１０に、撮影のための準備を促す撮影準備信号を送る（ステップＳ２）。前記撮影準備信号を受けたプロジェクタ制御手段１０は、ミラー移動手段１３に移動指示信号を出し（ステップＳ３）、移動完了の信号を受けると（ステップＳ４：Ｙ）、撮影準備完了の信号を制御手段５に送る（ステップＳ５）。
【００３３】
撮影準備が完了したことを認識した制御手段５は、撮影手段２にはシャッタ作動の信号を、撮影用ストロボ制御手段３１には撮影用ストロボＳＴ２の発光を指示する信号を、プロジェクタ制御手段１０には、背景用ストロボＳＴ１の発光を指示する信号を送る（ステップＳ６）。
【００３４】
なお、上述の３種の信号は、予め設定されている動作タイミング設定テーブルを参照して、順次、もしくは同時に出される。
【００３５】
撮影手段２のシャッタが閉じられると（ステップＳ７：Ｙ）、撮影終了信号が撮影手段２から制御手段５に送られ（ステップＳ８）、制御手段５は前記撮影終了信号をプロジェクタ制御手段１０に転送する（ステップＳ９）。
【００３６】
前記終了信号を受けたプロジェクタ制御手段１０は、ミラーＭ１移動手段１３に移動指示信号を出し、ミラーＭ１を図１の実線位置に復帰させ、復帰が完了したことを位置センサ（不図示）からの信号にて確認して、復帰信号を制御手段５に送る。
【００３７】
前記復帰信号を受けた制御手段５は、操作表示手段４に、次の撮影、または新たな作業が可能であることを画像、もしくは文字にて表示する（ステップＳ１０）。
【００３８】
以上、説明したシステムにより、人物と背景が共に高画質な画像を得ることができる。
【図面の簡単な説明】
【００３９】
【図１】プロジェクタの構造を模式的に示す図である。
【図２】撮影システムの概念図である。
【図３】撮影システムの制御関係を示すブロック図である。
【図４】撮影システムの動作の流れを示すフローチャートである。
【符号の説明】
【００４０】
１  プロジェクタ
２  撮影手段
３  照明手段
４  操作表示手段
５  制御手段
１０  プロジェクタ制御手段
１３  ミラー移動手段
Ｂ  液晶パネル
Ｇ  液晶パネル
Ｒ  液晶パネル
Ｍ１〜６  ミラー
ＨＬ  ハロゲンランプ
ＬＰ  照明ランプ
ＳＣ  スクリーン
ＳＴ１  背景用ストロボ
ＳＴ２  撮影用ストロボ
【図１】
2005300638.tif 000003
【図２】
2005300638.tif 000004
【図３】
2005300638.tif 000005
【図４】
2005300638.tif 000006